(57)【要約】      （修正有）【課題】筐体内部を冷却可能としつつ筐体内部に侵入する塵埃の量を低減する組合せ秤を提供する。【解決手段】ホッパおよびフィーダの少なくとも一方を駆動する駆動部１２、１４、１６と、密閉された空間１９を有し密閉された空間１９の内部に駆動部１２、１４、１６が配置されている筐体１８と、２つの熱交換面を有し２つの熱交換面のいずれか一方が筐体１８の壁と密着するように配置されたペルチェ素子２０と、を備える、組合せ秤１００。【選択図】図１
2014134423.tif 000002
【特許請求の範囲】
【請求項１】
ホッパおよびフィーダの少なくとも一方を駆動する駆動部と、
密閉された空間を有し前記密閉された空間の内部に前記駆動部が配置されている筐体と、
２つの熱交換面を有し前記２つの熱交換面のいずれか一方が前記筐体の壁と密着するように配置されたペルチェ素子と、を備える、
組合せ秤。
【請求項２】
前記ペルチェ素子が前記密閉された空間の内部に配置されている、請求項１に記載の組合せ秤。
【請求項３】
前記筐体は筒状であり、前記ペルチェ素子は前記筐体がなす筒の底部に配置されている、請求項１または２に記載の組合せ秤。
【請求項４】
冷却板と板状のヒートシンクとを備え、
前記冷却板と前記ヒートシンクとで前記ペルチェ素子が挟持され、
前記ヒートシンクと前記筐体の壁とが締結部材により締結される、
請求項１ないし３のいずれかに記載の組合せ秤。
【請求項５】
前記ペルチェ素子が生じさせる起電力に基づいて前記ペルチェ素子に印加する電圧および電流の少なくとも一方を制御するように構成された制御器を備える、請求項１または２に記載の組合せ秤。
【発明の詳細な説明】
【技術分野】
【０００１】
本発明は、組合せ秤に関する。
【背景技術】
【０００２】
特許文献１は、ホッパに収容された被計量物を計量し、複数のホッパに対する被計量物の収容及び排出を制御する測定駆動部と、測定駆動部を収容する本体部と、測定駆動部内の温度を制御するための熱制御手段を有する熱交換部と、を備え、熱交換部は、本体部を支持するとともに、測定駆動部と熱交換部を連結する循環路を形成する支柱を含んでなり、測定駆動部と熱交換部及び循環路とで構成される経路中に空気流を循環させるファンを設けた組合せ計量装置を開示する（請求項２）。
【０００３】
特許文献２は、分散テーブルと分散テーブルの周縁に放射状に設けられた複数の供給トラフを振動させる加振装置が設置された分散フィーダ部をフィーダカバー内に収容して防水構造にした組合せ計量装置であって、フィーダカバーによって防水された分散フィーダ部の防水部内に吸気口と排気口を有する換気用ダクトを導入配置するとともに、換気用ダクトから防水部内への吸気と排気を行う換気手段を被計量物の流下経路外に設け、防水部内に温度センサを設け、温度センサの出力によって換気手段を制御する制御手段を設けた組合せ計量装置を開示する（請求項７）。
【先行技術文献】
【特許文献】
【０００４】
【特許文献１】特開２００１−２５５１９９号公報
【特許文献２】特開平  ０６−３１７４５４号公報
【発明の概要】
【発明が解決しようとする課題】
【０００５】
本発明は、筐体内部を冷却可能としつつ筐体内部に侵入する塵埃の量を低減することを目的の一つとする。
【課題を解決するための手段】
【０００６】
本発明による組合せ秤の一態様は、ホッパおよびフィーダの少なくとも一方を駆動する駆動部と、密閉された空間を有し前記密閉された空間の内部に前記駆動部が配置されている筐体と、２つの熱交換面を有し前記２つの熱交換面のいずれか一方が前記筐体の壁と密着するように配置されたペルチェ素子（Peltier device）と、を備える。
【発明の効果】
【０００７】
本発明の一態様によれば、組合せ秤において、筐体内部を冷却可能としつつ筐体内部に侵入する塵埃の量を低減することができるという効果を奏する。
【図面の簡単な説明】
【０００８】
【図１】図１は、第１実施形態の組合せ秤の概略構成の一例を示す鉛直断面図である。
【図２】図２は、第１実施形態におけるペルチェ素子の概略構成の一例を示す図である。
【図３】図３は、第１実施形態におけるペルチェ素子の取り付け態様の概略の一例を示す断面図である。
【図４】図４は、第１実施形態の組合せ秤の概略構成の一例を示す側面図である。
【図５】図５は、第１実施形態の変形例にかかるペルチェ素子の取り付け態様の概略の一例を示す断面図である。
【図６】図６は、第２実施形態の組合せ秤の概略構成の一例を示す鉛直断面図である。
【発明を実施するための形態】
【０００９】
組合せ秤の本体部には、様々な電気電子制御部品が収納されており、該電気電子制御部品が発熱することで前記収納部は温度が高くなる。更に、組合せ秤のホッパの排出ゲートの駆動をモータで行う場合は、モータ駆動回路も本体部に収納されることになり、駆動回路が更に熱を発生することになり、熱が、電子部品の劣化、制御動作不安定の原因となることから、冷却手段が必要となってくる。筐体内部を冷却し、温度を適切に維持することは、ロードセルの計量精度を維持する上でも必要となりうる。
【００１０】
一方、組合せ秤の筐体内部には、被計量物の破片および空気に由来する埃などが大量に溜まり、機械動作上の不具合をもたらしたり、衛生面の問題を引き起こしたりする場合がある。
【００１１】
そこで、筐体内部を冷却する冷却手段を備えた組合せ秤において、筐体内部に侵入する塵埃の量を低減すべく、鋭意検討が加えられた。その結果、以下の知見が得られた。
【００１２】
組合せ秤において、筐体内部に侵入し滞留する大量の塵埃は、ファン等の冷却手段に由来する。すなわち、特許文献１および特許文献２に記載されているように、従来の組合せ秤では、筐体内部を冷却する冷却手段としてファン等の換気手段を用いていた。このため、筐体内部には必然的に、大量の塵埃が侵入することとなっていた。
【００１３】
ファン等の換気手段を用いる限り、塵埃の侵入を低減することは困難である。そこで、筐体内部を密閉して筐体内部に侵入する塵埃の量を低減すると共に、該筐体の壁にペルチェ素子を配置して筐体内部を冷却することに想到した。かかる構成では、筐体内部をペルチェ素子で冷却可能である一方で、筐体内部は密閉されているため、筐体内部を冷却可能としつつ筐体内部に侵入する塵埃の量を飛躍的に低減することができる。
【００１４】
以下、実施形態について、添付図面を参照しつつ説明する。なお、各図に示されている、各構成物の形状、大きさ、および、位置関係は、あくまで例であって、それらは図示された態様に限定されるものではない。
【００１５】
（第一実施形態）
第一実施形態の組合せ秤は、ホッパおよびフィーダの少なくとも一方を駆動する駆動部と、密閉された空間を有し密閉された空間の内部に駆動部が配置されている筐体と、２つの熱交換面を有し２つの熱交換面のいずれか一方が筐体の壁と密着するように配置されたペルチェ素子と、を備える。
【００１６】
かかる構成では、筐体内部を冷却可能としつつ筐体内部に侵入する塵埃の量を低減することができる。
【００１７】
かかる構成は、制御部の冷却手段としてファンを用いることのできない粉塵の多い工場あるいは洗浄が頻繁に行われる工場に設置する組合せ秤として特に有用である。
【００１８】
「ホッパ」とは、具体的には例えば、供給ホッパ、計量ホッパ、メモリホッパ、集合ホッパ等をいう。
【００１９】
「フィーダ」とは、具体的には例えば、分散フィーダ、直進フィーダ等をいう。
【００２０】
「密閉された空間」とは、外部からの塵埃の侵入量が無視できる程度である空間をいう。密閉された空間は、必ずしも完全に外部から気密に封止されている必要はない。例えば、密閉された空間は、塵埃の存在が問題となる部位から鉛直方向下方に遠く離れた部位において大気開放されていてもよい。かかる構成でも、該大気開放されている部分からの塵埃の侵入は、実質的に問題とならないからである。
【００２１】
「塵埃」とは、例えば、被計量物の破片、空気中の埃等を含む。
【００２２】
上記組合せ秤において、ペルチェ素子が密閉された空間の内部に配置されていてもよい。
【００２３】
かかる構成では、筐体の壁自体を効果的なヒートシンクとして利用することができる。
【００２４】
上記組合せ秤において、筐体は筒状であり、ペルチェ素子は筐体がなす筒の底部中央に配置されていてもよい。
【００２５】
かかる構成では、ペルチェ素子から放出される熱が被計量物に与える影響を軽減することができる。
【００２６】
「底部中央」とは、完全な中央でなくてもよく、筐体の側面を通過する被計量物への熱の影響が小さくなる程度に、筐体の側面から離れていればよい。
【００２７】
上記組合せ秤において、冷却板と板状のヒートシンクとを備え、冷却板とヒートシンクとでペルチェ素子が挟持され、ヒートシンクと筐体の壁とが締結部材により締結されていてもよい。
【００２８】
かかる構成では、簡潔な構成により、効率的な冷却と、ペルチェ素子のより確実な保持とを実現できる。
【００２９】
図１は、第１実施形態の組合せ秤の概略構成の一例を示す鉛直断面図である。
【００３０】
図１に示す例では、第１実施形態の組合せ秤１００は、駆動部１２、１４、１６と、筐体１８と、ペルチェ素子２０と、を備える。
【００３１】
第１駆動部１２は、分散フィーダ４２を駆動する。第１駆動部１２は、具体的には例えば、電磁石をＯＮ／ＯＦＦすることで振動するように構成されていてもよい。分散フィーダ４２については周知の構成を採用しうるので、詳細な説明を省略する。第１駆動部１２は、駆動源として例えば電磁石のコイルを有するため、動作時に発熱する。第１駆動部１２は、筐体１８の内部に配置されているため、筐体１８の内部にある密閉された空間１９の温度を上昇させうる。
【００３２】
第２駆動部１４は、直進フィーダ４４を駆動する。第２駆動部１４は、具体的には例えば、電磁石をＯＮ／ＯＦＦすることで振動するように構成されていてもよい。直進フィーダ４４については周知の構成を採用しうるので、詳細な説明を省略する。第２駆動部１４は、駆動源として例えば電磁石のコイルを有するため、動作時に発熱する。第２駆動部１４は、筐体１８の内部に配置されているため、筐体１８の内部にある密閉された空間１９の温度を上昇させうる。
【００３３】
第３駆動部１６は、供給ホッパ４６と計量ホッパ４８とを駆動する。第３駆動部１６は、具体的には例えば、第１モータと第２モータとを備えていてもよい。この場合、第１モータを回転させることで供給ホッパ４６のゲートを開閉し、第２モータを回転させることで計量ホッパ４８のゲートを開閉するように構成しうる。供給ホッパ４６および計量ホッパ４８については周知の構成を採用しうるので、詳細な説明を省略する。第３駆動部１６は、駆動源として例えばモータのコイルを有するため、動作時に発熱する。第３駆動部１６は、筐体１８の内部に配置されているため、筐体１８の内部にある密閉された空間１９の温度を上昇させうる。
【００３４】
計量ホッパ４８は、ロードセル（図示せず）により支持される。ロードセルは、計量ホッパ４８に投入された被計量物の重量を検出する。筐体１８の内部にある密閉された空間１９の温度が上昇すると、圧力差で空気が対流する等して、ロードセルの計量精度が低下しうる。筐体１８の内部にある密閉された空間１９の温度上昇は、筐体１８の内部にある電子部品（電解コンデンサ等）の寿命短縮にもつながりうる。
【００３５】
筐体１８は、密閉された空間１９を有する。密閉された空間１９の内部には、第１駆動部１２と第２駆動部１４と第３駆動部１６とが配置されている。密閉された空間１９の内部には、計量センサが配置されていてもよい。計量センサは、例えばロードセルとすることができる。
【００３６】
密閉された空間１９は、その内部に空気循環器（例えば、ファン等）を有しなくてもよい。かかる構成では、密閉された空間内部での空気の流量を低減することができる。空気の流量を低減することで、例えば、ロードセルの計量精度を向上させることができる。
【００３７】
図１において、集合シュート（後述）は図示が省略されている。
【００３８】
図１に示す例では、筐体１８は、第１駆動部１２と第２駆動部１４と第３駆動部１６とが配置された本体部に加え、脚部５０と台部５２とを備えている。本体部と脚部５０と台部５２とは、それぞれの内部空間が互いに連通していてもよい。この場合において、台部５２の内部空間は台部５２の壁に設けられた孔により大気開放されていてもよい。かかる構成において、大気開放されている部位は、塵埃の存在が問題となる部位（例えば、駆動部１２、１４、１６の近傍）から鉛直方向下方に遠く離れた部位であるため、該大気開放されている部分からの塵埃の侵入は、実質的に問題とならない。なお、筐体１８に大気開放された孔が設けられた場合においても、該孔にファン等の空気循環器を設けない構成とすると、該孔から筐体１８の内部に侵入する塵埃の量を低減できる。
【００３９】
ペルチェ素子２０は、筐体１８の壁と密着するように配置されている。より具体的には例えば、筐体１８の壁が平面をなし、ペルチェ素子２０が、該平面と密着するように配置されていてもよい。図１に示す例では、筐体１８が筒状であり、ペルチェ素子２０は筐体１８がなす筒の底部中央に配置されている。筐体１８がなす筒は、円筒（円柱）であってもよいし、角筒（角柱）であってもよい。具体的には例えば、組合せ秤１００が１４個の計量ホッパ４８を備える場合、筐体１８がなす筒は水平断面が正１４角形の角筒（多角柱）としうる。ペルチェ素子２０を、熱容量の大きな筐体１８の壁と密着させることで、ペルチェ素子２０から放出される熱を筐体１８へと効率的に吸収させることができる。よって、高い冷却性能が実現できる。かかる構成において、さらに、筐体１８の壁のペルチェ素子２０が配置されている部位に、筐体１８の外部に向かって延びる放熱フィンが設けられていてもよい。筐体１８がなす筒の底部中央であれば、ホッパのゲート等の干渉を受けずに放熱フィンを配置できる。
【００４０】
なお、ペルチェ素子２０の配置されている位置は特に限定されない。ペルチェ素子２０は筐体１８がなす筒の側面に配置されていてもよいし、筐体１８がなす筒の上面に配置されていてもよい。後者においては、高温の空気は筐体１８の内部の上方に滞留するため、より効率的な冷却が可能となる。ペルチェ素子２０は複数配置されていてもよい。個々の計量ホッパ４８毎に、本体部から取り外し可能なユニットが構成され、該ユニットの内部に駆動部が配置される場合には、該ユニットを構成する筐体毎にペルチェ素子２０を設けてもよい。該ユニットは必須の構成ではない。ユニットを備える構成においても、各ユニット毎に筐体が密閉されている必要はない。
【００４１】
図１に示す例では、全てのユニットに共通して１個のペルチェ素子２０が設けられている。かかる構成では、ペルチェ素子から放出される熱がユニット内へと流入しにくくなり、さらに高い冷却能力を実現できる。
【００４２】
筐体１８の内部において、高温の空気が上方に滞留（温度成層）して冷却効率が不十分となる場合には、筐体１８の内部にファン等の空気循環器を配置してもよい。空気循環器により筐体１８の内部空間に強制的に対流を生じさせることで、冷却効率を向上できる。
【００４３】
ペルチェ素子２０は、２種類の金属の接合部に電流を流すと、片方の金属からもう片方へ熱が移動するというペルチェ効果（Peltier effect）を利用した板状の半導体素子である。ペルチェ素子２０は、接合部においてある方向に直流電流を流すと、一方の面（第１熱交換面）が吸熱し、反対面（第２熱交換面）に発熱が起こる。一方、接合部において逆方向に直流電流を流すと、吸熱と発熱の関係が逆転し、一方の面（第１熱交換面）に発熱が起こり、反対面（第２熱交換面）が吸熱する。ペルチェ素子２０は、接合部の両側の金属の間に温度差を与えることで、電圧を生じるという性質も有する（ゼーベック効果：Seebeck effect）。ペルチェ素子２０は、高精度の温度制御に適している。
【００４４】
ペルチェ素子２０としては、例えば、株式会社アーテック製（最大温度差：摂氏６８度、材質：アルミニウム、寸法（ｍｍ）：３７×３７×２４、最大電圧：１５．４Ｖ、最大電流６Ａ）のペルチェ素子を用いることができる。
【００４５】
上記の説明では、駆動部の種類は３つであったが、駆動部の種類は１つでもよいし、２つでもよいし、４つ以上でもよい。全ての駆動部が同一の筐体の内部に設けられていなくてもよい。一部の駆動部が筐体の外部に設けられていてもよい。
【００４６】
図２は、第１実施形態におけるペルチェ素子の概略構成の一例を示す図である。
【００４７】
図２に示す例では、ペルチェ素子２０は、第１熱交換面２２と、第２熱交換面２４とを備えている。かかる構成において、ペルチェ素子２０は、２つの熱交換面２２、２４のいずれか一方が筐体１８の壁と密着するように配置される。
【００４８】
図２に示す例では、ペルチェ素子２０は第１配線２６と第２配線２８とを備えている。第１配線２６と第２配線２８とは、電源（図示せず）に接続されている。かかる構成において、ペルチェ素子２０は、例えば、第１配線２６から第２配線２８へと電流を流すと、第１熱交換面２２が吸熱し第２熱交換面２４が発熱する。逆に、第２配線２８から第１配線２６へと電流を流すと、第２熱交換面２４が吸熱し第１熱交換面２２が発熱する。なお、特定の電流の向きにおいて第１熱交換面２２および第２熱交換面２４のいずれが吸熱しいずれが発熱するかは、ペルチェ素子２０の構成により適宜に設定されうる。
【００４９】
ペルチェ素子２０の冷却面が筐体１８の内側に向けられ、ペルチェ素子２０の発熱面が筐体１８の外側に向けられていてもよい。
【００５０】
筐体１８の壁とは、例えば、筐体１８の内部空間と筐体１８の外部空間とを隔てる壁とすることができる。壁は、例えば、板状の部材とすることができ、さらに具体的には例えば、筐体１８を構成する金属板とすることができる。かかる構成では、筐体１８の壁を介して、筐体１８の内部空間の熱を筐体１８の外部空間へと効率的に排出することができる。筐体１８の内部空間は、密閉された空間１９である。筐体１８の壁の向きは特に限定されず、水平方向に広がる壁でもよいし、鉛直方向に広がる壁でもよいし、傾斜した壁でもよい。
【００５１】
筐体１８の壁は、熱伝導性の高い材料（例えば、金属等）で構成されていてもよい。かかる構成では、筐体１８の壁自体を効果的なヒートシンクとして利用することができる。
【００５２】
図３は、第１実施形態におけるペルチェ素子の取り付け態様の概略の一例を示す断面図である。
【００５３】
図３に示す例では、ペルチェ素子２０は、第１熱交換面２２および第２熱交換面２４の一方が、筐体１８の壁と接着層３２を介して接着されている。第１熱交換面２２および第２熱交換面２４の他方は、冷却板３６と接着層３４を介して接着されている。接着層３２および接着層３４は、具体的には例えば、熱伝導率の高い両面テープおよび熱伝導率の高い接着剤等で構成されうる。冷却板３６は、具体的には例えば、多数のフィンを有する金属製の部材としうる。冷却板３６は、具体的には例えば、一般的なペルチェ素子と共に用いられる放熱板を利用することができる。
【００５４】
図３に示す例において、冷却板３６は、密閉された空間１９に向かって延びる吸熱フィン３８を備えている。吸熱フィン３８は、熱伝導性の高い材料（例えば、金属等）で構成されていてもよい。
【００５５】
ペルチェ素子２０に所定の電流が通流されることで、ペルチェ素子２０の熱交換面のうち、吸熱フィン３８に面した側の熱交換面が、反対側（筐体１８に面した側）の熱交換面に対し、相対的に低温となる。このため、密閉された空間１９の内部の熱は、吸熱フィン３８に吸収され、接着層３４を介してペルチェ素子２０へと輸送される。
【００５６】
ペルチェ素子２０に所定の電流が通流されることで、ペルチェ素子２０の熱交換面のうち、筐体１８に面した側の熱交換面は、反対側（吸熱フィン３８に面した側）の熱交換面に対し、相対的に高温となる。このため、ペルチェ素子２０の保有する熱は、接着層３２を介して筐体１８の壁へと輸送される。筐体１８の壁へと送られた熱は、筐体１８の壁から、筐体１８の外部空間へと放出される。
【００５７】
以上のような作用により、ペルチェ素子２０は、密閉された空間１９から、筐体１８の外部空間へと、熱を排出する。
【００５８】
図３に示すような、接着層を用いてペルチェ素子２０を筐体１８の壁に取り付ける方法は、特に、密閉された空間１９において、筐体１８がなす筒の底部にペルチェ素子２０を配置する場合に有効である。ペルチェ素子２０は底面上に載置されるため、ペルチェ素子２０が重力の作用により脱落しにくく、接着層のみで十分にペルチェ素子２０を壁上に保持できるからである。
【００５９】
図４は、第１実施形態の組合せ秤の概略構成の一例を示す側面図である。以下、図１および図４を参照しつつ、組合せ秤１００の動作の概要について説明する。
【００６０】
被計量物は、組合せ秤１００の上方から分散フィーダ４２へと供給される。第１駆動部１２は、分散フィーダ４２を振動させることで、分散フィーダ４２に載っている被計量物を、直進フィーダ４４へと供給する。
【００６１】
直進フィーダ４４は、供給ホッパ４６の上部開口に向かって緩やかな下り勾配をなす斜面を有する。第２駆動部１４は、直進フィーダ４４を適切なタイミングと振幅と振動数とで振動させることで、被計量物をバッチ方式で、対応する供給ホッパ４６へと供給する。
【００６２】
供給ホッパ４６は、第３駆動部１６により駆動されることで、適切なタイミングでゲートを開放し、被計量物をバッチ方式で、対応する計量ホッパ４８へと供給する。
【００６３】
計量ホッパ４８に被計量物が供給されると、計量ホッパ４８と接続された計量センサ（図示せず）により、計量ホッパ４８が保持する被計量物の重量（計量値）が検出される。検出された重量は、制御器（図示せず）へと送られる。制御器は、計量センサから受け取った検出結果を用いて、組合せ演算を行う。制御器は、例えば、ＣＰＵ等の演算部と、メモリ等の記憶部とを備えうる。
【００６４】
具体的には例えば、１４個の計量ホッパ４８のうち、被計量物を保持している計量ホッパ４８が１０個であれば、その１０個から４個を取り出すそれぞれの組合せについて、計量値を合計した組合せ重量が演算される。組合せ重量が組合せ目標重量と等しいか、組合せ目標重量よりも大きくかつ最も小さくなる計量ホッパ４８の組合せが、最適組合せとして選択される。その後、最適組合せに参加する計量ホッパ４８が、第３駆動部１６により駆動されることで、適切なタイミングでゲートを開放し、被計量物が集合シュート５４へと排出される。集合シュート５４へと排出された被計量物は、集合シュート５４の下端に設けられた排出口から、包装機等（図示せず）へと排出される。上記演算と排出が行われる間に、被計量物を保持していない（空になっている）計量ホッパ４８へと、供給ホッパ４６から被計量物が供給される。
【００６５】
次に、上記演算で選択されなかった６個の計量ホッパ４８と、被計量物が新たに供給された４個の計量ホッパ４８とを合わせた１０個から４個の計量ホッパ４８を取り出すそれぞれの組合せについて、計量値を合計した組合せ重量が演算される。組合せ重量が組合せ目標重量と等しいか、組合せ目標重量よりも大きくかつ最も小さくなる計量ホッパ４８の組合せが、最適組合せとして選択される。その後、最適組合せに参加する計量ホッパ４８から集合シュート５４へと被計量物が排出される。集合シュート５４へと排出された被計量物は、集合シュート５４の下端に設けられた排出口から、包装機等（図示せず）へと排出される。上記演算と排出が行われる間に、被計量物を保持していない（空になっている）計量ホッパ４８へと、供給ホッパ４６から被計量物が供給される。
【００６６】
筐体１８の外部から空気を取り込むことで筐体１８の内部を冷却する構成では、筐体１８の外部から筐体１８の内部へと塵埃が侵入してしまう。本実施形態の組合せ秤１００によれば、塵埃の侵入量が問題とならない程度に筐体１８を密閉した上で、ペルチェ素子２０により筐体１８の内部を冷却するため、筐体１８の内部を冷却可能としつつ、塵埃が筐体１８の内部へと侵入する量を飛躍的に低減することができる。通気口が不要となるため、防水性向上にも有効である。ペルチェ素子は、過熱しやすい部位に容易に配置できるので、熱収支を踏まえた組合せ秤の設計も容易となる。
【００６７】
図５は、第１実施形態の変形例にかかるペルチェ素子の取り付け態様の概略の一例を示す断面図である。
【００６８】
図５に示す例では、組合せ秤が冷却板３７と板状のヒートシンク３９とを備え、冷却板３７とヒートシンク３９とでペルチェ素子２０が挟持され、ヒートシンク３９と筐体１８の壁とが締結部材７２により締結されている。
【００６９】
冷却板３７とペルチェ素子２０との間は接着層を介して接着されていてもよい。ヒートシンク３９とペルチェ素子２０との間は接着層を介して接着されていてもよい。これらの接着層は、具体的には例えば、熱伝導率の高い熱伝導率の高い両面テープおよび熱伝導率の高い接着剤等で構成されうる。
【００７０】
図５に示す例では、冷却板３７とヒートシンク３９とは、皿ネジ６２により締結されている。冷却板３７は、熱伝導性の高い材料（例えば、金属等）で構成されていてもよい。ヒートシンク３９は、熱伝導性の高い材料（例えば、金属等）で構成されていてもよい。皿ネジ６２は、固定ナット６４によりヒートシンク３９のネジ穴に固定されている。皿ネジ６２は、高さ調整ナット６６と固定ナット６８とで冷却板３７のネジ穴に固定されている。
【００７１】
図５に示す例では、締結部材７２はネジである。該ネジは、ヒートシンク３９に形成された取り付け穴７０と筐体１８の壁に設けられた取り付け穴７１とを貫通し、固定ナット７４により、取り付け穴７０と取り付け穴７１とに固定されている。
【００７２】
冷却板３７には、冷却板３６と同様に吸熱フィンが設けられていてもよい。
【００７３】
冷却板３７とペルチェ素子２０との間、ヒートシンク３９とペルチェ素子２０との間、および、ヒートシンク３９と壁１８との間は、サーマルグリースや接着剤を使って空気が入らないように密着させてもよい。
【００７４】
本変形例の構成によれば、簡潔な構成により、効率的な冷却と、ペルチェ素子のより確実な保持とを実現できる。高さ調整ナットで冷却板とヒートシンクとの距離を調整することで、ペルチェ素子が破損する可能性も低減できる。
【００７５】
（第２実施形態）
第２実施形態の組合せ秤は、第１実施形態およびその変形例のいずれかの組合せ秤において、ペルチェ素子が生じさせる起電力に基づいてペルチェ素子に印加する電圧および電流の少なくとも一方を制御するように構成された制御器を備える。
【００７６】
かかる構成では、ペルチェ素子を温度センサとしても利用することができる。よって、簡潔な構成により、冷却が必要な場合にのみ効率的に冷却動作を実行できる。
【００７７】
図６は、第２実施形態の組合せ秤の概略構成の一例を示す鉛直断面図である。
【００７８】
図６に示すように、第２実施形態の組合せ秤２００は、制御器８０を備えている。
【００７９】
制御器８０は、ペルチェ素子２０が生じさせる起電力に基づいてペルチェ素子２０に印加する電圧および電流の少なくとも一方を制御するように構成されている。制御器８０は、制御機能を有するものであればよく、演算処理部（図示せず）と、制御プログラムを記憶する記憶部（図示せず）とを備える。演算処理部としては、ＭＰＵ、ＣＰＵが例示される。記憶部としては、メモリが例示される。制御器は、集中制御を行う単独の制御器で構成されていてもよく、互いに協働して分散制御を行う複数の制御器で構成されていてもよい。
【００８０】
第２実施形態の組合せ秤２００は、上記の点を除けば、第１実施形態の組合せ秤１００と同様に構成されうる。よって、図１と図６とで共通する構成要素については、同一の符号および名称を付して、詳細な説明を省略する。
【００８１】
ペルチェ素子２０の生じさせる起電力を検出する方法は特に限定されない。具体的には例えば、ペルチェ素子２０が接続された回路に対しペルチェ素子２０から印加される電圧を検出してもよいし、ペルチェ素子２０が接続された回路に対しペルチェ素子２０から印加される電圧により通流する電流を検出してもよい。
【００８２】
制御器８０による制御としては、具体的には例えば、ペルチェ素子２０が生じさせる起電力が所定の閾値を超えた場合に、ペルチェ素子２０に、密閉された空間１９の内部の熱を筐体１８の外部へと排出する向きに電流を通流させることとしうる。密閉された空間１９の内部の熱を筐体１８の外部へと排出する向きは、ペルチェ素子２０が生じさせる起電力による生じる電流の向きとは逆向きとしうる。
【００８３】
かかる構成では、ペルチェ素子２０を温度センサおよび冷却器の両方の機能を有するものとして利用できる。よって、簡潔な構成により、冷却が必要な場合にのみ効率的に冷却動作を実行できる。
【００８４】
本実施形態において、複数のペルチェ素子２０を、筐体１８の壁のうちの異なる複数の場所に設け、制御器８０が、それぞれのペルチェ素子が生じさせる起電力に基づいて、それぞれのペルチェ素子２０に印加する電圧および電流の少なくとも一方を制御するように構成されていてもよい。
【００８５】
かかる構成では、例えば、特に温度上昇が激しい部位にあるペルチェ素子２０のみに電流を流して、当該部位を冷却することができる。よって、簡潔な構成により、冷却が必要な部位のみを効率的に冷却できる。
【００８６】
第２実施形態の組合せ秤２００の動作は、ペルチェ素子２０の生じさせる起電力に基づく制御として上述した動作以外は、第１実施形態の組合せ秤１００と同様とすることができる。よって、詳細な説明を省略する。
【００８７】
第２実施形態においても、第１実施形態と同様の変形が可能である。
【００８８】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造および／又は機能の詳細を実質的に変更できる。
【産業上の利用可能性】
【００８９】
本発明の一態様は、筐体内部を冷却可能としつつ筐体内部に侵入する塵埃の量を低減することができる組合せ秤として有用である。
【符号の説明】
【００９０】
１２  第１駆動部
１４  第２駆動部
１６  第３駆動部
１８  筐体
１９  密閉された空間
２０  ペルチェ素子
２２  第１熱交換面
２４  第２熱交換面
２６  第１配線
２８  第２配線
３２  接着層
３４  接着層
３６  冷却板
３７  冷却板
３８  吸熱フィン
３９  ヒートシンク
４２  分散フィーダ
４４  直進フィーダ
４６  供給ホッパ
４８  計量ホッパ
５０  脚部
５２  台部
５４  集合シュート
６２  皿ネジ
６４  固定ナット
６６  高さ調整ナット
６８  固定ナット
７０  取り付け穴
７１  取り付け穴
７２  締結部材
７４  固定ナット
８０  制御器
１００  組合せ秤
２００  組合せ秤
【図１】
2014134423.tif 000003
【図２】
2014134423.tif 000004
【図３】
2014134423.tif 000005
【図４】
2014134423.tif 000006
【図５】
2014134423.tif 000007
【図６】
2014134423.tif 000008